(57)【要約】【課題】複数の印刷システム間において容易に色合わせを行う。【解決手段】ローカル側システム１００において、ＭＦＰ１２０により補正用画像を印刷し、分光測色計１３０により補正用画像を測定する。コントローラ１１０は、補正用画像の理想値データと分光測色計１３０の測定結果データとの差分（第１の差分データ）を算出し、補正用画像の印刷データ、理想値データ及び第１の差分データをコントローラ２１０に送信する。リモート側システム２００では、ＭＦＰ２２０により補正用画像を印刷し、分光測色計２３０により補正用画像を測定する。コントローラ２１０は、理想値データと第１の差分データとを加算して目標値データを算出し、目標値データと分光測色計２３０の測定結果データとの差分（差分プロファイル）を算出し、差分プロファイルに基づいてコントローラ２１０における色変換処理条件を補正する。【選択図】図１
2009021845.tif 000002
【特許請求の範囲】
【請求項１】
印刷データに対して色変換処理を含む画像処理を行う第１の画像処理装置、第１の印刷装置及び第１の測色計を備える第１の印刷システムと、印刷データに対して色変換処理を含む画像処理を行う第２の画像処理装置、第２の印刷装置及び第２の測色計を備える第２の印刷システムとが通信ネットワークを介して接続された色補正システムであって、
前記第１の画像処理装置は、
補正用画像の印刷データに基づいて前記第１の印刷装置に補正用画像を印刷させ、当該第１の印刷装置により印刷された補正用画像を前記第１の測色計により測定し機器に依存しない表色系で表した第１の測定結果データを取得し、前記補正用画像の色の理想値を前記表色系で表した理想値データと前記第１の測定結果データとの差分である第１の差分データを算出する制御部と、
前記補正用画像の印刷データ、前記理想値データ及び前記第１の差分データのうち、少なくとも前記第１の差分データを前記第２の画像処理装置に送信する送信部と、
を備え、
前記第２の画像処理装置は、
前記第１の画像処理装置から前記補正用画像の印刷データ、前記理想値データ及び前記第１の差分データのうち、少なくとも前記第１の差分データを受信する受信部と、
前記補正用画像の印刷データに基づいて前記第２の印刷装置に補正用画像を印刷させ、当該第２の印刷装置により印刷された補正用画像を前記第２の測色計により測定し前記表色系で表した第２の測定結果データを取得し、前記理想値データと前記第１の差分データとを加算して目標値データを算出し、前記算出された目標値データと前記第２の測定結果データとの差分である第２の差分データを算出し、当該第２の差分データに基づいて前記第２の画像処理装置における色変換処理条件を補正する制御部と、
を備える色補正システム。
【請求項２】
前記第１の画像処理装置は、補正用画像の印刷データ及び当該補正用画像に対応する色の理想値を機器に依存しない表色系で表した理想値データを記憶する記憶部を更に備える請求項１に記載の色補正システム。
【請求項３】
前記機器に依存しない表色系はＬ＊ａ＊ｂ＊表色系である請求項１又は２に記載の色補正システム。
【請求項４】
前記第２の画像処理装置の制御部は、色変換ルックアップテーブルを補正することにより前記色変換処理条件を補正する請求項１から３の何れか一項に記載の色補正システム。
【請求項５】
前記色変換ルックアップテーブルは、印刷データに使用される表色系を前記第２の印刷装置で使用される色材の表色系に変換するルックアップテーブルである請求項４に記載の色補正システム。
【請求項６】
印刷データに対して色変換処理を含む画像処理を行う第１の画像処理装置、第１の印刷装置及び第１の測色計を備える第１の印刷システムと、印刷データに対して色変換処理を含む画像処理を行う第２の画像処理装置、第２の印刷装置及び第２の測色計を備える第２の印刷システムとが通信ネットワークを介して接続された色補正システムであって、
前記第１の画像処理装置は、
補正用画像の印刷データに基づいて前記第１の印刷装置に補正用画像を印刷させ、当該第１の印刷装置により印刷された補正用画像を前記第１の測色計により測定し機器に依存しない表色系で表した第１の測定結果データを取得する制御部と、
前記補正用画像の印刷データ及び前記第１の測定結果データのうち、少なくとも前記第１の測定結果データを前記第２の画像処理装置に送信する送信部と、
を備え、
前記第２の画像処理装置は、
前記第１の画像処理装置から前記補正用画像の印刷データ及び前記第１の測定結果データのうち、少なくとも前記第１の測定結果データを受信する受信部と、
前記補正用画像の印刷データに基づいて前記第２の印刷装置に補正用画像を印刷させ、当該第２の印刷装置により印刷された補正用画像を前記第２の測色計により測定し前記表色系で表した第２の測定結果データを取得し、前記第１の測定結果データと前記第２の測定結果データとの差分である差分データを算出し、当該差分データに基づいて前記第２の画像処理装置における色変換処理条件を補正する制御部と、
を備える色補正システム。
【請求項７】
前記第１の画像処理装置は、補正用画像の印刷データを記憶する記憶部を更に備える請求項６に記載の色補正システム。
【請求項８】
前記機器に依存しない表色系はＬ＊ａ＊ｂ＊表色系である請求項６又は７に記載の色補正システム。
【請求項９】
前記第２の画像処理装置の制御部は、色変換ルックアップテーブルを補正することにより前記色変換処理条件を補正する請求項６から８の何れか一項に記載の色補正システム。
【請求項１０】
前記色変換ルックアップテーブルは、印刷データに使用される表色系を前記第２の印刷装置で使用される色材の表色系に変換するルックアップテーブルである請求項９に記載の色補正システム。
【発明の詳細な説明】
【技術分野】
【０００１】
本発明は、色補正システムに関する。
【背景技術】
【０００２】
従来、離れた場所に設置された複数の印刷システムにおける印刷装置同士の色を合わせるためには、予め標準色として設定された目標値に合わせるように色を調整している。しかし、各地の印刷システムにおいて、それぞれ印刷装置の調整が必要であるため、各印刷装置の色安定性が悪い場合には、それぞれの誤差が累積して相互の色再現特性が大きくずれるおそれがある。
【０００３】
一方、同一企業内等の閉じたシステム内の印刷においては、各印刷装置の色を標準色（共通の目標値）に合わせる必要はなく、相互に印刷色が合っていればよい。また、ＰＯＤ（Print On Demand）等の産業用の印刷分野でも、このような運用で十分な場合が多い。
【０００４】
例えば、複数のカラー印刷機間において生ずる色のずれを防止するために、基準となる印刷機の出力に合わせて各原色の明度を一致させるように、他の印刷機により印刷される画像データを補正する色補正方法が提案されている（特許文献１参照）。この方法では、まず、各印刷機の最高濃度を調整し、所定の階調毎の各原色の明度が一致するように、画像データを補正している。
【特許文献１】特開２０００−５００９４号公報
【発明の開示】
【発明が解決しようとする課題】
【０００５】
しかし、特許文献１に記載されているような同一の印刷システム内の印刷機間の色調整においては、印刷機同士で使用されるシアン、マゼンタ、イエロー、ブラック等、各色のインクやトナー等の色材が同一種との前提であるため、各色材の色毎に明度のみを調整するだけで色を合わせることが可能であった。ところが、色を合わせる対象となる印刷装置同士が異なる色材を用いるものである場合には、例えばマゼンタの色材であっても装置間で微妙に色が異なっているため同特許文献の技術で色合わせを行うことはできない。
【０００６】
本発明は、上記の従来技術における問題に鑑みてなされたものであって、複数の印刷システム間において容易に色合わせを行うことを課題とする。
【課題を解決するための手段】
【０００７】
上記課題を解決するために、請求項１に記載の発明は、印刷データに対して色変換処理を含む画像処理を行う第１の画像処理装置、第１の印刷装置及び第１の測色計を備える第１の印刷システムと、印刷データに対して色変換処理を含む画像処理を行う第２の画像処理装置、第２の印刷装置及び第２の測色計を備える第２の印刷システムとが通信ネットワークを介して接続された色補正システムであって、前記第１の画像処理装置は、補正用画像の印刷データに基づいて前記第１の印刷装置に補正用画像を印刷させ、当該第１の印刷装置により印刷された補正用画像を前記第１の測色計により測定し機器に依存しない表色系で表した第１の測定結果データを取得し、前記補正用画像の色の理想値を前記表色系で表した理想値データと前記第１の測定結果データとの差分である第１の差分データを算出する制御部と、前記補正用画像の印刷データ、前記理想値データ及び前記第１の差分データのうち、少なくとも前記第１の差分データを前記第２の画像処理装置に送信する送信部と、を備え、前記第２の画像処理装置は、前記第１の画像処理装置から前記補正用画像の印刷データ、前記理想値データ及び前記第１の差分データのうち、少なくとも前記第１の差分データを受信する受信部と、前記補正用画像の印刷データに基づいて前記第２の印刷装置に補正用画像を印刷させ、当該第２の印刷装置により印刷された補正用画像を前記第２の測色計により測定し前記表色系で表した第２の測定結果データを取得し、前記理想値データと前記第１の差分データとを加算して目標値データを算出し、前記算出された目標値データと前記第２の測定結果データとの差分である第２の差分データを算出し、当該第２の差分データに基づいて前記第２の画像処理装置における色変換処理条件を補正する制御部と、を備える。
【０００８】
請求項２に記載の発明は、請求項１に記載の色補正システムにおいて、前記第１の画像処理装置は、補正用画像の印刷データ及び当該補正用画像に対応する色の理想値を機器に依存しない表色系で表した理想値データを記憶する記憶部を更に備える。
【０００９】
請求項３に記載の発明は、請求項１又は２に記載の色補正システムにおいて、前記機器に依存しない表色系はＬ＊ａ＊ｂ＊表色系である。
【００１０】
請求項４に記載の発明は、請求項１から３の何れか一項に記載の色補正システムにおいて、前記第２の画像処理装置の制御部は、色変換ルックアップテーブルを補正することにより前記色変換処理条件を補正する。
【００１１】
請求項５に記載の発明は、請求項４に記載の色補正システムにおいて、前記色変換ルックアップテーブルは、印刷データに使用される表色系を前記第２の印刷装置で使用される色材の表色系に変換するルックアップテーブルである。
【００１２】
請求項６に記載の発明は、印刷データに対して色変換処理を含む画像処理を行う第１の画像処理装置、第１の印刷装置及び第１の測色計を備える第１の印刷システムと、印刷データに対して色変換処理を含む画像処理を行う第２の画像処理装置、第２の印刷装置及び第２の測色計を備える第２の印刷システムとが通信ネットワークを介して接続された色補正システムであって、前記第１の画像処理装置は、補正用画像の印刷データに基づいて前記第１の印刷装置に補正用画像を印刷させ、当該第１の印刷装置により印刷された補正用画像を前記第１の測色計により測定し機器に依存しない表色系で表した第１の測定結果データを取得する制御部と、前記補正用画像の印刷データ及び前記第１の測定結果データのうち、少なくとも前記第１の測定結果データを前記第２の画像処理装置に送信する送信部と、を備え、前記第２の画像処理装置は、前記第１の画像処理装置から前記補正用画像の印刷データ及び前記第１の測定結果データのうち、少なくとも前記第１の測定結果データを受信する受信部と、前記補正用画像の印刷データに基づいて前記第２の印刷装置に補正用画像を印刷させ、当該第２の印刷装置により印刷された補正用画像を前記第２の測色計により測定し前記表色系で表した第２の測定結果データを取得し、前記第１の測定結果データと前記第２の測定結果データとの差分である差分データを算出し、当該差分データに基づいて前記第２の画像処理装置における色変換処理条件を補正する制御部と、を備える。
【００１３】
請求項７に記載の発明は、請求項６に記載の色補正システムにおいて、前記第１の画像処理装置は、補正用画像の印刷データを記憶する記憶部を更に備える。
【００１４】
請求項８に記載の発明は、請求項６又は７に記載の色補正システムにおいて、前記機器に依存しない表色系はＬ＊ａ＊ｂ＊表色系である。
【００１５】
請求項９に記載の発明は、請求項６から８の何れか一項に記載の色補正システムにおいて、前記第２の画像処理装置の制御部は、色変換ルックアップテーブルを補正することにより前記色変換処理条件を補正する。
【００１６】
請求項１０に記載の発明は、請求項９に記載の色補正システムにおいて、前記色変換ルックアップテーブルは、印刷データに使用される表色系を前記第２の印刷装置で使用される色材の表色系に変換するルックアップテーブルである。
【発明の効果】
【００１７】
請求項１に記載の発明によれば、第１の画像処理装置から第２の画像処理装置に機器に依存しない表色系で表される第１の差分データを少なくとも送信することにより、第１の印刷システムにおける色再現特性を第２の印刷システムにおいて再現することができ、使用される色材の同異に拘わらず複数の印刷システム間において容易に色合わせを行うことができる。
【００１８】
請求項６に記載の発明によれば、第１の画像処理装置から第２の画像処理装置に機器に依存しない表色系で表される第１の測定結果データを少なくとも送信することにより、第１の印刷システムにおける色再現特性を第２の印刷システムにおいて再現することができ、使用される色材の同異に拘わらず複数の印刷システム間において容易に色合わせを行うことができる。
【発明を実施するための最良の形態】
【００１９】
［第１の実施の形態］
まず、本発明の第１の実施の形態における色補正システムを説明する。
図１に、色補正システム１の構成を示す。
図１に示すように、色補正システム１は、第１の印刷システムとしてのローカル側システム１００と、第２の印刷システムとしてのリモート側システム２００とが通信ネットワークＮを介して接続されて構成されている。色補正システム１では、ローカル側システム１００において印刷される色を基準として、リモート側システム２００において印刷される色をローカル側システム１００に合わせるように補正する。
【００２０】
ローカル側システム１００は、第１の画像処理装置としてのコントローラ１１０、第１の印刷装置としてのＭＦＰ（Multi Function Peripheral）１２０、分光測色計１３０を備える。コントローラ１１０とＭＦＰ１２０とは、データ通信可能に接続されている。また、分光測色計１３０は、コントローラ１１０と接続可能となっており、接続時に、コントローラ１１０は、分光測色計１３０から測定結果のデータを取得することができる。
【００２１】
コントローラ１１０は、印刷データに対して色変換処理を含む画像処理を行い、ＭＦＰ１２０が印刷可能なラスタデータを生成する。特に、第１の基準データ生成処理（図６参照）時には、コントローラ１１０は、補正用画像の印刷データに基づくラスタデータをＭＦＰ１２０に出力し、ＭＦＰ１２０に補正用画像を印刷させる。補正用画像は、例えば、シアン（Ｃ）、マゼンタ（Ｍ）、イエロー（Ｙ）、ブラック（Ｋ）の各色について、入力値を段階的に変化させた複数のパッチを含む画像であり、ＭＦＰ１２０の色再現特性を確認するためのものである。
【００２２】
ＭＦＰ１２０は、コントローラ１１０により生成されたラスタデータに基づいて、用紙等の記録媒体上に印刷を行う。特に、第１の基準データ生成処理時には、ＭＦＰ１２０は、補正用画像を印刷する。また、ＭＦＰ１２０は、プリンタ機能の他、複写機能、スキャナ機能、ＦＡＸ送受信機能を有する。
【００２３】
分光測色計１３０は、ＭＦＰ１２０により印刷された補正用画像の各パッチの色を分光的に測定する。具体的には、パッチ毎の色がＬ＊ａ＊ｂ＊表色系で表された第１の測定結果データが得られる。
【００２４】
コントローラ１１０は、分光測色計１３０により測定された第１の測定結果データを取得し、補正用画像に対応する色の理想値を示す理想値データと第１の測定結果データとの差分である第１の差分データを算出する。そして、コントローラ１１０は、補正用画像の印刷データ、理想値データ及び第１の差分データをリモート側システム２００のコントローラ２１０に送信する。
【００２５】
リモート側システム２００は、第２の画像処理装置としてのコントローラ２１０、第２の印刷装置としてのＭＦＰ２２０、分光測色計２３０を備える。コントローラ２１０とＭＦＰ２２０とは、データ通信可能に接続されている。また、分光測色計２３０は、コントローラ２１０と接続可能となっており、接続時に、コントローラ２１０は、分光測色計２３０から測定結果のデータを取得することができる。
【００２６】
コントローラ２１０は、印刷データに対して色変換処理を含む画像処理を行い、ＭＦＰ２２０が印刷可能なラスタデータを生成する。特に、第１のキャリブレーション処理（図７参照）時には、コントローラ２１０は、コントローラ１１０から補正用画像の印刷データ、理想値データ及び第１の差分データを受信し、補正用画像の印刷データに基づくラスタデータをＭＦＰ２２０に出力し、ＭＦＰ２２０に補正用画像を印刷させる。
【００２７】
ＭＦＰ２２０は、コントローラ２１０により生成されたラスタデータに基づいて、用紙等の記録媒体上に印刷を行う。特に、第１のキャリブレーション処理時には、ＭＦＰ２２０は、補正用画像を印刷する。また、ＭＦＰ２２０は、プリンタ機能の他、複写機能、スキャナ機能、ＦＡＸ送受信機能を有する。
【００２８】
分光測色計２３０は、ＭＦＰ２２０により印刷された補正用画像の各パッチの色を分光的に測定する。具体的には、パッチ毎の色がＬ＊ａ＊ｂ＊表色系で表された第２の測定結果データが得られる。
【００２９】
コントローラ２１０は、分光測色計２３０により測定された第２の測定結果データを取得する。そして、コントローラ２１０は、コントローラ１１０から受信した理想値データと第１の差分データとを加算して目標値データを算出し、算出された目標値データと第２の測定結果データとの差分である第２の差分データ（以下、「差分プロファイル」という。）を算出する。更に、コントローラ２１０は、差分プロファイルに基づいてコントローラ２１０における色変換処理条件を補正する。
【００３０】
次に、図２を参照して、ローカル側システム１００のコントローラ１１０の構成を詳細に説明する。
図２に示すように、コントローラ１１０は、ＣＰＵ（Central Processing Unit）１１１、操作部１１２、表示部１１３、通信Ｉ／Ｆ部１１４、メモリ１１５、ＨＤＤ（Hard Disk Drive）１１６等を備えて構成され、各部はバス１１７により接続されている。コントローラ１１０は、一般に、ワークステーションやＰＣ（Personal Computer）により実現される。
【００３１】
ＣＰＵ１１１は、コントローラ１１０の各部の処理動作を統括的に制御する。ＣＰＵ１１１は、操作部１１２から入力される操作信号又は通信Ｉ／Ｆ部１１４により受信した指示信号に応じて、ＨＤＤ１１６に格納されている各種処理プログラムを読み出してメモリ１１５に展開し、当該プログラムとの協働により各種処理を実行する。
【００３２】
操作部１１２は、各種操作キーを備え、各キーが押下された場合に、押下信号をＣＰＵ１１１に出力する。また、操作部１１２は、表示部１１３の表面に一体的に形成されたタッチパネルを備え、ユーザの指先やタッチペン等により当接された位置を検出して、位置信号をＣＰＵ１１１に出力する。
【００３３】
表示部１１３は、ＬＣＤ（Liquid Crystal Display）を備え、ＣＰＵ１１１からの指示に従って、各種操作画面や各種処理結果を表示する。
【００３４】
通信Ｉ／Ｆ部１１４は、外部機器との間でデータの送受信を行う。例えば、通信Ｉ／Ｆ部１１４は、外部ＰＣから印刷指示された印刷データを受信する。また、通信Ｉ／Ｆ部１１４は、印刷データに基づいて生成されたラスタデータをＭＦＰ１２０に送信する。また、通信Ｉ／Ｆ部１１４は、分光測色計１３０から補正用画像を測定した第１の測定結果データを受信する。また、通信Ｉ／Ｆ部１１４は、補正用画像の印刷データ、理想値データ及び第１の差分データをコントローラ２１０に送信する。
【００３５】
メモリ１１５は、ＲＡＭ（Random Access Memory）等から構成され、ＣＰＵ１１１により実行される各種処理プログラム及びこれらプログラムに係るデータを一時的に記憶するワークエリアを形成する。例えば、メモリ１１５は、外部ＰＣから受信した印刷データを一時的に記憶する。
【００３６】
ＨＤＤ１１６は、ＣＰＵ１１１がコントローラ１１０の各部を制御するための各種処理プログラムや、各種処理に関する情報等を記憶する。例えば、ＨＤＤ１１６には、補正用画像の印刷データ及び理想値データが予め記憶されている。理想値データは、補正用画像を印刷した場合の各パッチの色の理想値を、機器に依存しない表色系（本実施の形態においてはＬ＊ａ＊ｂ＊表色系）で表したものである。また、ＨＤＤ１１６には、ＭＦＰ１２０の色に関する標準的な特性を示すデータである通常プロファイルが予め記憶されている。通常プロファイルは、開発時に用意された製品固有の代表的なプロファイルであり、製品出荷時に標準的にコントローラ１１０に搭載されているもので、個体差や環境による変化は反映されていない。
【００３７】
ＣＰＵ１１１は、外部ＰＣから受信した印刷データに対して色変換処理を含む画像処理を行い、ＭＦＰ１２０が印刷可能なラスタデータを生成する。色変換処理を行う際には、画像処理プログラムに組み込まれているＣＭＭ（Color Management Module）が使用される。ＣＭＭは、印刷データを適切な色に色変換するためのモジュールであり、例えば、ＲＧＢデータ（印刷データに使用される表色系）からＣＭＹＫデータ（ＭＦＰ１２０で使用される色材の表色系）へ変換するための色変換ルックアップテーブル（ＬＵＴ）を用いて色変換処理を行う。ＣＰＵ１１１は、ＨＤＤ１１６に記憶されている通常プロファイルを用いて印刷データの色変換処理を行う。
【００３８】
また、ＣＰＵ１１１は、ＨＤＤ１１６に記憶されている補正用画像の印刷データを読み出し、補正用画像の印刷データに対して色変換処理を含む画像処理を行い、ラスタデータを生成する。そして、ＣＰＵ１１１は、生成された補正用画像のラスタデータを通信Ｉ／Ｆ部１１４を介してＭＦＰ１２０に送信し、ＭＦＰ１２０に補正用画像を印刷させる。
【００３９】
また、ＣＰＵ１１１は、ＭＦＰ１２０により印刷された補正用画像を分光測色計１３０により測定しＬ＊ａ＊ｂ＊表色系で表した第１の測定結果データを通信Ｉ／Ｆ部１１４を介して取得する。そして、ＣＰＵ１１１は、ＨＤＤ１１６に記憶されている理想値データを読み出し、理想値データと第１の測定結果データとの差分である第１の差分データを算出する。図３（ａ）に理想値データの例、図３（ｂ）に第１の測定結果データの例、図３（ｃ）に第１の差分データの例を示す。
【００４０】
また、ＣＰＵ１１１は、補正用画像の印刷データ、理想値データ及び第１の差分データを通信Ｉ／Ｆ部１１４を介してコントローラ２１０に送信する。
【００４１】
次に、図４を参照して、リモート側システム２００のコントローラ２１０の構成を詳細に説明する。
図４に示すように、コントローラ２１０は、ＣＰＵ２１１、操作部２１２、表示部２１３、通信Ｉ／Ｆ部２１４、メモリ２１５、ＨＤＤ２１６等を備えて構成され、各部はバス２１７により接続されている。コントローラ２１０は、一般に、ワークステーションやＰＣにより実現される。
【００４２】
コントローラ２１０は、図２に示したコントローラ１１０と同様の構成であるため、コントローラ１１０と異なる部分のみ説明する。
【００４３】
通信Ｉ／Ｆ部２１４は、外部機器との間でデータの送受信を行う。例えば、通信Ｉ／Ｆ部２１４は、外部ＰＣから印刷指示された印刷データを受信する。また、通信Ｉ／Ｆ部２１４は、印刷データに基づいて生成されたラスタデータをＭＦＰ２２０に送信する。また、通信Ｉ／Ｆ部２１４は、コントローラ２１０から補正用画像の印刷データ、理想値データ及び第１の差分データを受信する。また、通信Ｉ／Ｆ部２１４は、分光測色計２３０から補正用画像を測定した第２の測定結果データを受信する。
【００４４】
ＨＤＤ２１６は、ＣＰＵ２１１がコントローラ２１０の各部を制御するための各種処理プログラムや、各種処理に関する情報等を記憶する。例えば、ＨＤＤ２１６には、ＭＦＰ２２０の色に関する標準的な特性を示すデータである通常プロファイルが予め記憶されている。
【００４５】
ＣＰＵ２１１は、外部ＰＣから受信した印刷データに対して色変換処理を含む画像処理を行い、ＭＦＰ２２０が印刷可能なラスタデータを生成する。色変換処理を行う際には、画像処理プログラムに組み込まれているＣＭＭが使用される。ＣＭＭは、例えば、ＲＧＢデータ（印刷データに使用される表色系）からＣＭＹＫデータ（ＭＦＰ２２０で使用される色材の表色系）へ変換するための色変換ルックアップテーブルを用いて色変換処理を行う。
【００４６】
また、ＣＰＵ２１１は、通信Ｉ／Ｆ部２１４を介してコントローラ１１０から受信した補正用画像の印刷データ、理想値データ及び第１の差分データをメモリ２１５に一時的に格納する。
【００４７】
また、ＣＰＵ２１１は、コントローラ１１０から受信した補正用画像の印刷データに対して色変換処理を含む画像処理を行い、ラスタデータを生成する。そして、ＣＰＵ２１１は、生成された補正用画像のラスタデータを通信Ｉ／Ｆ部２１４を介してＭＦＰ２２０に送信し、ＭＦＰ２２０に補正用画像を印刷させる。
【００４８】
また、ＣＰＵ２１１は、ＭＦＰ２２０により印刷された補正用画像を分光測色計２３０により測定しＬ＊ａ＊ｂ＊表色系で表した第２の測定結果データを通信Ｉ／Ｆ部２１４を介して取得する。そして、ＣＰＵ２１１は、メモリ２１５に一時的に格納されている理想値データ及び第１の差分データを読み出し、理想値データと第１の差分データとを加算して目標値データを算出する。更に、ＣＰＵ２１１は、目標値データと第２の測定結果データとの差分である差分プロファイルを算出する。図５（ａ）に目標値データの例、図５（ｂ）に第２の測定結果データの例、図５（ｃ）に差分プロファイルの例を示す。
【００４９】
また、ＣＰＵ２１１は、差分プロファイルに基づいてコントローラ２１０における色変換処理条件を補正する。具体的には、ＣＰＵ２１１は、差分プロファイルに基づいて、リモート側システム２００において印刷される色を、ローカル側システム１００において印刷される色に合わせるように、色変換処理に用いるルックアップテーブルを補正する。すなわち、通常プロファイル及び差分プロファイルを用いて印刷データの色変換処理を行うことが、補正された色変換処理条件で色変換処理を行うことに該当する。
【００５０】
次に、色補正システム１における動作を説明する。
図６を参照して、ローカル側システム１００のコントローラ１１０により実行される第１の基準データ生成処理を説明する。
【００５１】
まず、ＣＰＵ１１１により、ＨＤＤ１１６に記憶されている補正用画像の印刷データが読み出され、補正用画像の印刷データに対して色変換処理を含む画像処理が行われ、ラスタデータが生成される。ここで、色変換処理は、通常プロファイルを用いて行われる。次に、ＣＰＵ１１１の制御に従って、通信Ｉ／Ｆ部１１４により、補正用画像のラスタデータがＭＦＰ１２０に送信される（ステップＳ１）。ＭＦＰ１２０では、記録媒体上に補正用画像の印刷が行われる。
【００５２】
次に、ＭＦＰ１２０により印刷された補正用画像が、分光測色計１３０により測定される。次に、ＣＰＵ１１１により、通信Ｉ／Ｆ部１１４を介して、分光測色計１３０で測定された第１の測定結果データが取得される（ステップＳ２）。そして、ＣＰＵ１１１により、ＨＤＤ１１６に記憶されている理想値データが読み出され、理想値データと第１の測定結果データとの差分である第１の差分データが算出される（ステップＳ３）。
【００５３】
次に、ＣＰＵ１１１の制御に従って、通信Ｉ／Ｆ部１１４により、補正用画像の印刷データ、理想値データ及び第１の差分データがリモート側システム２００のコントローラ２１０に送信される（ステップＳ４）。
【００５４】
ローカル側システム１００において印刷を行う場合には、ＣＰＵ１１１により、外部ＰＣから受信した印刷データに対して、通常プロファイルを用いて色変換処理が行われる（ステップＳ５）。すなわち、ローカル側システム１００では、現状の色再現特性で印刷が行われ、色を理想値に合わせるための処理は行われない。
【００５５】
次に、図７を参照して、リモート側システム２００のコントローラ２１０により実行される第１のキャリブレーション処理を説明する。
【００５６】
まず、通信Ｉ／Ｆ部２１４により、ローカル側システム１００のコントローラ１１０から送信された補正用画像の印刷データ、理想値データ及び第１の差分データが受信され（ステップＳ１１）、ＣＰＵ２１１により、これらのデータがメモリ２１５に一時的に格納される。
【００５７】
次に、ＣＰＵ２１１により、メモリ２１５に格納されている補正用画像の印刷データが読み出され、補正用画像の印刷データに対して色変換処理を含む画像処理が行われ、ラスタデータが生成される。ここで、色変換処理は、通常プロファイルを用いて行われる。次に、ＣＰＵ２１１の制御に従って、通信Ｉ／Ｆ部２１４により、補正用画像のラスタデータがＭＦＰ２２０に送信される（ステップＳ１２）。ＭＦＰ２２０では、記録媒体上に補正用画像の印刷が行われる。
【００５８】
次に、ＭＦＰ２２０により印刷された補正用画像が、分光測色計２３０により測定される。次に、ＣＰＵ２１１により、通信Ｉ／Ｆ部２１４を介して、分光測色計２３０で測定された第２の測定結果データが取得される（ステップＳ１３）。そして、ＣＰＵ２１１により、メモリ２１５に一時的に格納されている理想値データ及び第１の差分データが読み出され、理想値データと第１の差分データとが加算されて目標値データが算出される（ステップＳ１４）。次に、ＣＰＵ２１１により、目標値データと第２の測定結果データとの差分である差分プロファイルが算出され（ステップＳ１５）、算出された差分プロファイルがＨＤＤ２１６に記憶される。
【００５９】
リモート側システム２００において印刷を行う場合には、ＣＰＵ２１１により、外部ＰＣから受信した印刷データに対して、通常プロファイル及び差分プロファイルを用いて色変換処理が行われる（ステップＳ１６）。すなわち、差分プロファイルに基づいて補正された色変換処理条件（ルックアップテーブル）で色変換処理が行われる。
【００６０】
以上説明したように、第１の実施の形態における色補正システム１によれば、コントローラ１１０からコントローラ２１０に補正用画像の印刷データ、理想値データ及び第１の差分データを送信することにより、ローカル側システム１００における色再現特性をリモート側システム２００において再現することができる。したがって、従来のように双方の印刷システムの色を標準色に合わせるのではなく、ローカル側システム１００の色再現特性は調整せずに、リモート側システム２００のみを調整してローカル側システム１００の色に合わせるため、使用される色材の同異に拘わらず、複数の印刷システム間において一つのシステムにおける色再現特性に他のシステムの色再現特性を合わせることを容易に行うことができる。
【００６１】
第１の基準データ生成処理及び第１のキャリブレーション処理は、システム起動時に実行されてもよいし、予め定められた時間毎に実行されてもよいし、ローカル側システム１００とリモート側システム２００において共通の印刷物を出力する前に実行されてもよい。
【００６２】
なお、第１の実施の形態では、ローカル側システム１００からリモート側システム２００に補正用画像の印刷データ、理想値データ及び第１の差分データを送信することとしたが、コントローラ１１０とコントローラ２１０の双方において、予め補正用画像の印刷データ及び理想値データが記憶されている場合には、コントローラ１１０からコントローラ２１０に第１の差分データのみを送信すればよい。
【００６３】
［第２の実施の形態］
次に、本発明を適用した第２の実施の形態について説明する。
第２の実施の形態における色補正システムは、第１の実施の形態に示した色補正システム１と同様の構成によってなるため、同一の構成部分については同一の符号を付し、その構成については図示及び説明を省略する。以下、第２の実施の形態に特徴的な構成及び処理について説明する。
【００６４】
第１の実施の形態の色補正システム１では、ローカル側システム１００からリモート側システム２００に補正用画像の印刷データ、理想値データ及び第１の差分データ（理想値データと第１の測定結果データとの差分）を送信することとしたが、第２の実施の形態の色補正システムでは、ローカル側システム１００からリモート側システム２００に補正用画像の印刷データ及び機器に依存しない表色系で表された第１の測定結果データを送信する。
【００６５】
まず、ローカル側システム１００のコントローラ１１０について、第２の実施の形態に特徴的な構成を説明する。
【００６６】
ＣＰＵ１１１は、ＭＦＰ１２０により印刷された補正用画像を分光測色計１３０により測定しＬ＊ａ＊ｂ＊表色系で表した第１の測定結果データを通信Ｉ／Ｆ部１１４を介して取得し、補正用画像の印刷データ及び第１の測定結果データを通信Ｉ／Ｆ部１１４を介してコントローラ２１０に送信する。
【００６７】
通信Ｉ／Ｆ部１１４は、補正用画像の印刷データ及び第１の測定結果データをコントローラ２１０に送信する。
【００６８】
次に、リモート側システム２００のコントローラ２１０について、第２の実施の形態に特徴的な構成を説明する。
【００６９】
通信Ｉ／Ｆ部２１４は、コントローラ２１０から補正用画像の印刷データ及び第１の測定結果データを受信する。
【００７０】
ＣＰＵ２１１は、通信Ｉ／Ｆ部２１４を介してコントローラ１１０から受信した補正用画像の印刷データ及び第１の測定結果データをメモリ２１５に一時的に格納する。
【００７１】
また、ＣＰＵ２１１は、ＭＦＰ２２０により印刷された補正用画像を分光測色計２３０により測定しＬ＊ａ＊ｂ＊表色系で表した第２の測定結果データを通信Ｉ／Ｆ部２１４を介して取得する。そして、ＣＰＵ２１１は、メモリ２１５に一時的に格納されている第１の測定結果データを読み出し、第１の測定結果データと第２の測定結果データとの差分である差分データ（以下、「差分プロファイル」という。）を算出する。
【００７２】
また、ＣＰＵ２１１は、差分プロファイルに基づいてコントローラ２１０における色変換処理条件を補正する。具体的には、ＣＰＵ２１１は、差分プロファイルに基づいて、リモート側システム２００において印刷される色を、ローカル側システム１００において印刷される色に合わせるように、色変換処理に用いるルックアップテーブルを補正する。すなわち、通常プロファイル及び差分プロファイルを用いて印刷データの色変換処理を行うことが、補正された色変換処理条件で色変換処理を行うことに該当する。
【００７３】
次に、第２の実施の形態における色補正システムにおける動作を説明する。
図８を参照して、ローカル側システム１００のコントローラ１１０により実行される第２の基準データ生成処理を説明する。
【００７４】
まず、ＣＰＵ１１１により、ＨＤＤ１１６に記憶されている補正用画像の印刷データが読み出され、補正用画像の印刷データに対して色変換処理を含む画像処理が行われ、ラスタデータが生成される。ここで、色変換処理は、通常プロファイルを用いて行われる。次に、ＣＰＵ１１１の制御に従って、通信Ｉ／Ｆ部１１４により、補正用画像のラスタデータがＭＦＰ１２０に送信される（ステップＳ２１）。ＭＦＰ１２０では、記録媒体上に補正用画像の印刷が行われる。
【００７５】
次に、ＭＦＰ１２０により印刷された補正用画像が、分光測色計１３０により測定される。次に、ＣＰＵ１１１により、通信Ｉ／Ｆ部１１４を介して、分光測色計１３０で測定されＬ＊ａ＊ｂ＊表色系で表された第１の測定結果データが取得される（ステップＳ２２）。
【００７６】
次に、ＣＰＵ１１１の制御に従って、通信Ｉ／Ｆ部１１４により、補正用画像の印刷データ及び第１の測定結果データがリモート側システム２００のコントローラ２１０に送信される（ステップＳ２３）。
【００７７】
ローカル側システム１００において印刷を行う場合には、ＣＰＵ１１１により、外部ＰＣから受信した印刷データに対して、通常プロファイルを用いて色変換処理が行われる（ステップＳ２４）。すなわち、ローカル側システム１００では、現状の色再現特性で印刷が行われ、色を理想値に合わせるための処理は行われない。
【００７８】
次に、図９を参照して、リモート側システム２００のコントローラ２１０により実行される第２のキャリブレーション処理を説明する。
【００７９】
まず、通信Ｉ／Ｆ部２１４により、ローカル側システム１００のコントローラ１１０から送信された補正用画像の印刷データ及び第１の測定結果データが受信され（ステップＳ３１）、ＣＰＵ２１１により、これらのデータがメモリ２１５に一時的に格納される。
【００８０】
次に、ＣＰＵ２１１により、メモリ２１５に格納されている補正用画像の印刷データが読み出され、補正用画像の印刷データに対して色変換処理を含む画像処理が行われ、ラスタデータが生成される。ここで、色変換処理は、通常プロファイルを用いて行われる。次に、ＣＰＵ２１１の制御に従って、通信Ｉ／Ｆ部２１４により、補正用画像のラスタデータがＭＦＰ２２０に送信される（ステップＳ３２）。ＭＦＰ２２０では、記録媒体上に補正用画像の印刷が行われる。
【００８１】
次に、ＭＦＰ２２０により印刷された補正用画像が、分光測色計２３０により測定される。次に、ＣＰＵ２１１により、通信Ｉ／Ｆ部２１４を介して、分光測色計２３０で測定されＬ＊ａ＊ｂ＊表色系で表された第２の測定結果データが取得される（ステップＳ３３）。そして、ＣＰＵ２１１により、メモリ２１５に一時的に格納されている第１の測定結果データが読み出され、第１の測定結果データと第２の測定結果データとの差分である差分プロファイルが算出され（ステップＳ３４）、算出された差分プロファイルがＨＤＤ２１６に記憶される。
【００８２】
リモート側システム２００において印刷を行う場合には、ＣＰＵ２１１により、外部ＰＣから受信した印刷データに対して、通常プロファイル及び差分プロファイルを用いて色変換処理が行われる（ステップＳ３５）。すなわち、差分プロファイルに基づいて補正された色変換処理条件（ルックアップテーブル）で色変換処理が行われる。
【００８３】
以上説明したように、第２の実施の形態における色補正システムによれば、コントローラ１１０からコントローラ２１０に補正用画像の印刷データ及び第１の測定結果データを送信することにより、ローカル側システム１００における色再現特性をリモート側システム２００において再現することができる。したがって、従来のように双方の印刷システムの色を標準色に合わせるのではなく、ローカル側システム１００の色再現特性は調整せずに、リモート側システム２００のみを調整してローカル側システム１００の色に合わせるため、使用される色材の同異に拘わらず、複数の印刷システム間において容易に色合わせを行うことができる。
【００８４】
第２の基準データ生成処理及び第２のキャリブレーション処理は、システム起動時に実行されてもよいし、予め定められた時間毎に実行されてもよいし、ローカル側システム１００とリモート側システム２００において共通の印刷物を出力する前に実行されてもよい。
【００８５】
なお、第２の実施の形態では、ローカル側システム１００からリモート側システム２００に補正用画像の印刷データ及び第１の測定結果データを送信することとしたが、コントローラ１１０とコントローラ２１０の双方において、予め補正用画像の印刷データが記憶されている場合には、コントローラ１１０からコントローラ２１０に第１の測定結果データのみを送信すればよい。
【００８６】
また、上記各実施の形態における記述は、本発明に係る色補正システムの例であり、これに限定されるものではない。システムを構成する各装置の細部構成及び細部動作に関しても本発明の趣旨を逸脱することのない範囲で適宜変更可能である。
【図面の簡単な説明】
【００８７】
【図１】本発明の第１の実施の形態における色補正システムのシステム構成図である。
【図２】ローカル側システムのコントローラの構成を示すブロック図である。
【図３】（ａ）は、理想値データの例を示す図である。（ｂ）は、第１の測定結果データの例を示す図である。（ｃ）は、第１の差分データの例を示す図である。
【図４】リモート側システムのコントローラの構成を示すブロック図である。
【図５】（ａ）は、目標値データの例を示す図である。（ｂ）は、第２の測定結果データの例を示す図である。（ｃ）は、差分プロファイルの例を示す図である。
【図６】第１の実施の形態におけるローカル側システムのコントローラにより実行される第１の基準データ生成処理を示すフローチャートである。
【図７】第１の実施の形態におけるリモート側システムのコントローラにより実行される第１のキャリブレーション処理を示すフローチャートである。
【図８】第２の実施の形態におけるローカル側システムのコントローラにより実行される第２の基準データ生成処理を示すフローチャートである。
【図９】第２の実施の形態におけるリモート側システムのコントローラにより実行される第２のキャリブレーション処理を示すフローチャートである。
【符号の説明】
【００８８】
１  色補正システム
１００  ローカル側システム
１１０  コントローラ
１１１  ＣＰＵ
１１２  操作部
１１３  表示部
１１４  通信Ｉ／Ｆ部
１１５  メモリ
１１６  ＨＤＤ
１１７  バス
１２０  ＭＦＰ
１３０  分光測色計
２００  リモート側システム
２１０  コントローラ
２１１  ＣＰＵ
２１２  操作部
２１３  表示部
２１４  通信Ｉ／Ｆ部
２１５  メモリ
２１６  ＨＤＤ
２１７  バス
２２０  ＭＦＰ
２３０  分光測色計
Ｎ  通信ネットワーク
【図１】
2009021845.tif 000003
【図２】
2009021845.tif 000004
【図３】
2009021845.tif 000005
【図４】
2009021845.tif 000006
【図５】
2009021845.tif 000007
【図６】
2009021845.tif 000008
【図７】
2009021845.tif 000009
【図８】
2009021845.tif 000010
【図９】
2009021845.tif 000011